(57)【特許請求の範囲】
【請求項１】
個人を識別する個人識別情報と、購入した商品を一括で受け取り可能な一時保管場所内における前記個人が購入する商品の商品置場を示す置場情報と、前記個人が購入する商品に関する情報とが紐付けられた情報を第１の記憶手段から取得する取得手段と、
前記個人が購入した商品を前記一時保管場所に受け取りに来たときに、前記取得手段が取得した前記情報から特定される、当該個人の個人識別情報が記録されている媒体から取得した当該個人の個人識別情報に紐付けられている前記置場情報を、表示手段に出力する出力手段と、を備え、
前記出力手段は、前記置場情報が選択されると、当該選択された前記置場情報に対応する前記商品に関する情報を前記表示手段に出力する、
情報処理装置。
【請求項２】
前記商品に関する情報は、前記商品を収容する商品搬送用容器を示す容器情報を含む、請求項１に記載の情報処理装置。
【請求項３】
前記商品搬送用容器には、前記容器情報が読み取り可能に記録されている第２の記憶手段が設けられており、
前記第１の記憶手段には、さらに、前記個人が購入した商品を収容する前記商品搬送用容器の前記容器情報と当該個人の前記個人識別情報を紐付けて記憶されており、
前記出力手段は、前記一時保管場所に運ばれた前記商品搬送用容器に設けられる前記第２の記憶手段から読み取られた容器情報を取得し、前記第１の記憶手段から、取得した前記容器情報に紐付けられている前記個人識別情報を特定し、さらに、特定した前記個人識別情報に紐付けられている前記置場情報を特定し、特定した前記置場情報を前記表示手段に出力する、
請求項２に記載の情報処理装置。
【請求項４】
前記個人が店舗で購入した前記商品を収容する商品搬送用容器に設けられる第２の記憶手段には、当該店舗の店舗端末により当該個人の前記媒体から読み取られた当該個人の前記個人識別情報が記憶されており、
前記出力手段は、前記商品搬送用容器に設けられる前記第２の記憶手段から読み取られた前記個人識別情報を取得し、前記第１の記憶手段から、取得した前記個人識別情報に紐付けられている前記置場情報を特定し、特定した前記置場情報を前記表示手段に出力する、
請求項３に記載の情報処理装置。
【請求項５】
前記店舗端末により、前記媒体から読み取られた前記個人の前記個人識別情報に紐付けられている前記置場情報が前記第１の記憶手段から取得されて、当該個人が購入した商品を収容する前記商品搬送用容器の前記第２の記憶手段には、前記置場情報が記憶されており、
前記出力手段は、前記商品搬送用容器の前記第２の記憶手段から読み取られた前記置場情報を、前記表示手段に出力する、
請求項４に記載の情報処理装置。
【請求項６】
前記出力手段は、前記個人が購入する商品が収容され、搬送される複数の前記商品搬送用容器をそれぞれ保管するための複数の商品置場の配置を示す一時保管場所のマップとともに、前記商品搬送用容器を保管すべき前記商品置場を示す情報を示す画面を表示部に表示させる、
請求項３乃至５のいずれか１項に記載の情報処理装置。
【請求項７】
前記出力手段は、前記個人が購入する商品が収容され、搬送される複数の前記商品搬送用容器をそれぞれ保管するための複数の商品置場の配置を示す一時保管場所のマップとともに、当該マップ上の各商品置場の状況を確認するための画面を表示部に表示させ、
前記画面に表示される前記商品置場の状況は、
当該各商品置場に、配送すべき前記商品が存在するか否か、および当該配送すべき前記商品が存在する場合に当該商品の配送が済んでいるか否か、を示す情報の少なくともいずれかを含む、
請求項３乃至６のいずれか１項に記載の情報処理装置。
【請求項８】
前記出力手段は、前記画面の前記一時保管場所のマップ上で各商品置場を示す画面要素の選択を受け付けると、当該選択された画面要素の前記商品置場に対応する前記置場情報に紐付けられている前記商品に関する情報を取得し、取得した当該情報を出力し、
前記商品に関する情報は、前記商品の名称と、商品倉庫における各商品の格納場所を示す情報との少なくともいずれか１つを含む、
請求項７に記載の情報処理装置。
【請求項９】
前記取得手段により取得される前記情報に含まれる、前記個人識別情報と、前記個人が購入する商品に関する情報と、前記個人が購入する商品を保管するための複数の商品置場の中から前記個人に割り当てられた商品置場を示す置場情報とは、前記個人が購入する商品の商品登録処理に際して、紐付けられる、
請求項１から８のいずれか１項に記載の情報処理装置。
【請求項１０】
前記個人が購入する商品に関する情報が新たに紐付けられたことを示す通知情報を出力する通知手段をさらに備える、
請求項９に記載の情報処理装置。
【請求項１１】
前記個人識別情報と前記置場情報との紐付けを解除する解除入力を受け付けると、当該解除入力によって指定される前記個人識別情報と前記置場情報との紐付けは解除される、
請求項９または１０に記載の情報処理装置。
【請求項１２】
前記個人識別情報を記録している前記媒体を発行する発行手段を更に備え、
前記媒体の発行に応じて、該媒体の個人識別情報に前記置場情報は紐付けられる、
請求項９乃至１１のいずれか１項に記載の情報処理装置。
【請求項１３】
個人の認証データを前記個人識別情報として取得する認証データ取得手段を更に備え、
前記認証データの取得に応じて、該認証データに前記置場情報は紐付けられる、
請求項９乃至１２のいずれか１項に記載の情報処理装置。
【請求項１４】
前記媒体が返却されたことを示す情報の入力を、前記個人識別情報と前記置場情報との紐付けを解除する解除入力として受け付ける、
請求項１３に記載の情報処理装置。
【請求項１５】
前記個人が購入した商品の引き渡しが完了したことを示す情報の入力を受け付けると、前記個人識別情報と前記置場情報との紐付けは解除される、
請求項９乃至１４のいずれか１項に記載の情報処理装置。
【請求項１６】
情報出力装置が、
個人を識別する個人識別情報と、購入した商品を一括で受け取り可能な一時保管場所内における前記個人が購入する商品の商品置場を示す置場情報と、前記個人が購入する商品に関する情報とが紐付けられた情報を第１の記憶手段から取得し、
前記個人が購入した商品を前記一時保管場所に受け取りに来たときに、取得した前記情報から特定される、当該個人の個人識別情報が記録されている媒体から取得した当該個人の個人識別情報に紐付けられている前記置場情報を、表示手段に出力し、
前記置場情報が選択されると、当該選択された前記置場情報に対応する前記商品に関する情報を前記表示手段に出力する、
情報処理方法。
【請求項１７】
コンピュータを、
個人を識別する個人識別情報と、購入した商品を一括で受け取り可能な一時保管場所内における前記個人が購入する商品の商品置場を示す置場情報と、前記個人が購入する商品に関する情報とが紐付けられた情報を第１の記憶手段から取得する取得手段、
前記個人が購入した商品を前記一時保管場所に受け取りに来たときに、前記取得手段が取得した前記情報から特定される、当該個人の個人識別情報が記録されている媒体から取得した当該個人の個人識別情報に紐付けられている前記置場情報を、表示手段に出力する出力手段、として機能させ、
前記出力手段は、前記置場情報が選択されると、当該選択された前記置場情報に対応する前記商品に関する情報を前記表示手段に出力する手段として機能させるためのプログラム。
【発明の詳細な説明】
【技術分野】
【０００１】
本発明は、情報処理システム、代行端末、サーバ装置、情報処理方法、およびプログラムに関する。
【背景技術】
【０００２】
複数の売場や店舗が一箇所に集まるような場所（例えばショッピングモールなど）において、顧客は、通常、売場毎または店舗毎に商品を受け取ることになる。この場合、複数の店舗で商品を購入すると、手持ちの荷物が増えてしまい、顧客にとって不便である。
【０００３】
このような問題を解決する技術の一例が、例えば、下記特許文献１および下記特許文献２に開示されている。
【０００４】
特許文献１には、次のような技術が開示されている。まず、店舗の入り口カウンターに設けられたレジスタが、各顧客用の磁気カードを発行する。次いで、店舗の各売場に設けられたレジスタにおいて、顧客が購入する商品の登録処理が行われる。このとき、各売場のレジスタは、各顧客用の磁気カードの識別情報を読み取り、当該磁気カードの識別情報と商品のリストとを紐付けた状態でホストコンピュータに送信する。そして、買い物を終えた顧客は店舗の出口カウンターに設けられたレジスタに、その顧客用の磁気カードの識別情報を読み取らせる。出口カウンターのレジスタは、磁気カードから読み取った識別情報をホストコンピュータに送信する。ホストコンピュータは、受信した磁気カードの識別情報に基づいて、商品を搬出する部門に設けられるレジスタにはその識別情報に紐付けられた商品のリストを送信し、出口カウンターのレジスタには商品のリストと購入品合計金額を送信する。顧客は、出口カウンターにおいて商品代金を精算することにより、商品を搬出する部門によって倉庫から搬出される商品を受け取ることができる。
【０００５】
特許文献２には、駐車場カードを用いて商品を購入することで、出庫時に購入した商品の決済を一括して行う技術が開示されている。また特許文献２の技術において、店舗の利用客は、商品の駐車場への配送を予め依頼しておくことにより、購入した商品をその商品の売り場ではなく駐車場で受け取ることもできる。
【先行技術文献】
【特許文献】
【０００６】
【特許文献１】特開平０８−１３７９５７号公報
【特許文献２】特開２００２−１９００４２号公報
【発明の概要】
【発明が解決しようとする課題】
【０００７】
上述の特許文献に開示されるような技術において、顧客の利便性の観点から、商品の精算や受取の際に待ち時間を生じさせないようにすることが望ましい。特許文献１の技術では、出口カウンターで磁気カードを読み取った後に、商品の搬出部門に商品リストが送られる。そのため、そのリストに載っている商品の捜索に時間がかかると、顧客を待たせてしまう可能性がある。また、特許文献２の技術では、顧客を待たせないようにするためには、顧客が車両を出庫するタイミングで商品が配送されるようにしなければならないが、これは現実的に難しい。
【０００８】
本発明の目的は、複数の店舗で購入した商品の受取を一括で行う場合に、顧客の待ち時間を短縮させる技術を提供することにある。
【課題を解決するための手段】
【０００９】
本発明によれば、
個人を識別する個人識別情報と、購入した商品を一括で受け取り可能な一時保管場所内における前記個人が購入する商品の商品置場を示す置場情報と、前記個人が購入する商品に関する情報とが紐付けられた情報を第１の記憶手段から取得する取得手段と、
前記個人が購入した商品を前記一時保管場所に受け取りに来たときに、前記取得手段が取得した前記情報から特定される、当該個人の個人識別情報が記録されている媒体から取得した当該個人の個人識別情報に紐付けられている前記置場情報を、表示手段に出力する出力手段と、を備え、
前記出力手段は、前記置場情報が選択されると、当該選択された前記置場情報に対応する前記商品に関する情報を前記表示手段に出力する、
情報処理装置が提供される。
【００１２】
本発明によれば、
情報出力装置が、
個人を識別する個人識別情報と、購入した商品を一括で受け取り可能な一時保管場所内における前記個人が購入する商品の商品置場を示す置場情報と、前記個人が購入する商品に関する情報とが紐付けられた情報を第１の記憶手段から取得し、
前記個人が購入した商品を前記一時保管場所に受け取りに来たときに、取得した前記情報から特定される、当該個人の個人識別情報が記録されている媒体から取得した当該個人の個人識別情報に紐付けられている前記置場情報を、表示手段に出力し、
前記置場情報が選択されると、当該選択された前記置場情報に対応する前記商品に関する情報を前記表示手段に出力する、
ことを含む情報処理方法が提供される。
【００１３】
本発明によれば、
コンピュータを、
個人を識別する個人識別情報と、購入した商品を一括で受け取り可能な一時保管場所内における前記個人が購入する商品の商品置場を示す置場情報と、前記個人が購入する商品に関する情報とが紐付けられた情報を第１の記憶手段から取得する取得手段、
前記個人が購入した商品を前記一時保管場所に受け取りに来たときに、前記取得手段が取得した前記情報から特定される、当該個人の個人識別情報が記録されている媒体から取得した当該個人の個人識別情報に紐付けられている前記置場情報を、表示手段に出力する出力手段、として機能させ、
前記出力手段は、前記置場情報が選択されると、当該選択された前記置場情報に対応する前記商品に関する情報を前記表示手段に出力する手段、
として機能させるためのプログラムが提供される。
【発明の効果】
【００１５】
本発明によれば、複数の店舗で購入した商品の受取を一括で行う場合に、顧客の待ち時間を短縮させることができる。
【図面の簡単な説明】
【００１６】
【図１】第１実施形態の情報処理システムの概略構成を例示するブロック図である。
【図２】第１実施形態の情報処理システムの具体的なシステム構成の一例を示すブロック図である。
【図３】第１実施形態の第１の具体例における情報処理システムに含まれる各装置（サーバ装置、店舗端末、代行端末、媒体発行装置）のハードウエア構成を例示する図である。
【図４】媒体に記憶されている個人識別情報に場所情報を紐付ける処理の流れを示すフローチャートである。
【図５】店舗での購入された商品を商品搬送用容器に収容し、該商品搬送用容器を一時保管場所に保管するまでの流れを示すフローチャートである。
【図６】出力部が出力する情報の一例を示す図である。
【図７】第２実施形態の情報処理システムの動作の概要を説明するためのフローチャートである。
【図８】第３実施形態の情報処理システムのシステム構成を例示するブロック図である。
【図９】店舗での購入された商品を商品搬送用容器に収容し、該商品搬送用容器を代行カウンタへ移動させるまでの流れを示すフローチャートである。
【図１０】代行カウンタに移動された商品を受け取るまでの流れを説明するフローチャートである。
【図１１】第４実施形態に係る情報処理システムのシステム構成を例示するブロック図である。
【図１２】第４実施形態の具体的な動作例を示すフローチャートである。
【図１３】第４実施形態の具体的な動作例を示すフローチャートである。
【図１４】第４実施形態の具体的な動作例を示すフローチャートである。
【図１５】第４実施形態の具体的な動作例を示すフローチャートである。
【図１６】第４実施形態の具体的な動作例を示すフローチャートである。
【図１７】第４実施形態の具体的な動作例を示すフローチャートである。
【図１８】記憶部が記憶する情報の一例を示す図である。
【図１９】商品置場の状況を確認するための画面の一例を示す図である。
【図２０】出力部が出力する情報の一例を示す図である。
【図２１】配送フラグを更新した後の状態を例示する図である。
【図２２】商品置場の状況を確認するための画面の一例を示す図である。
【発明を実施するための形態】
【００１７】
以下、本発明の実施の形態について、図面を用いて説明する。尚、すべての図面において、同様な構成要素には同様の符号を付し、適宜説明を省略する。また各ブロック図において、特に説明がないかぎり、各ブロックは、ハードウエア単位の構成ではなく機能単位の構成を表す。
【００１８】
また、以下で説明する本発明は、顧客が購入した商品を一時的に保管し、また、保管している商品の引き渡しを行う場所（以下、代行カウンタとも表記）が設けられていることを前提とする。顧客は、店舗で商品を購入した際、その商品を代行カウンタで保管するよう依頼することができる。この場合、その商品は、商品を搬送するスタッフによって代行カウンタまで運ばれる。これにより、顧客は、移動する際、購入した商品を持ち運ぶ必要がなくなる。顧客は、保管されている商品の受取を希望する場合、代行カウンタに向かえばよい。
【００１９】
［第１実施形態］
〔システム構成〕
図１は、第１実施形態の情報処理システム１の概略構成を例示するブロック図である。情報処理システム１は、サーバ装置１０、店舗端末２０、および代行端末３０を含んで構成される。図１の例では、サーバ装置１０は、置場紐付け部１１０、記憶部１１２を有する。代行端末３０は出力部３２０を有する。代行端末３０は、代行カウンタに設けられ、代行カウンタで業務を行うスタッフによって操作される端末である。店舗端末２０は、売場毎または店舗毎に設けられる端末である。店舗端末２０では、顧客が購入する商品を登録する処理（登録処理）やその商品を精算する処理（精算処理）が行われる。店舗で購入された商品は、代行端末３０が設けられている代行カウンタに配送され、後述のように個人別に割り当てられた商品置場に保管される。サーバ装置１０は、店舗端末２０、代行端末３０などと通信し、個人別に保管された商品の受取を一括で行うことを支援する。
【００２０】
置場紐付け部１１０は、個人（顧客）を識別する個人識別情報に当該個人が購入する商品の商品置場を示す置場情報を紐付ける。置場紐付け部１１０は、これら個人識別情報と置場情報とを紐付けた状態で、記憶部１１２に格納する。これにより、個人別に割り当てられた商品置場が定義される。ここで置場情報は、個人別に割り当てられた商品置場を判別可能な情報であれば、特に限定されない。置場情報は、例えば、個人別に割り当てられた商品置場の位置を示すマップデータであってもよいし、その位置を文字で説明するテキストデータであってもよいし、これらのデータを一意に特定可能な何らかの識別情報であってもよい。出力部３２０は、個人識別情報を取得し、当該取得した個人識別情報に紐付けられている置場情報を、記憶部１１２から読み出して出力する。具体的には、出力部３２０は、個人識別情報を記憶している媒体や、キーボードやタッチパネルなどの入力装置を介して、個人識別情報を取得する。そして、出力部３２０は、取得した個人識別情報に紐付けられている置場情報の出力要求をサーバ装置１０に送信する。サーバ装置１０は、代行端末３０から取得した個人識別情報を用いて、当該個人識別情報に紐付けられている置場情報を記憶部１１２の中から読み出す。そしてサーバ装置１０は、読み出した置場情報を代行端末３０に送信する。出力部３２０は、サーバ装置１０から取得した置場情報を、図示しない表示装置や印刷装置を介して出力する。商品を配送するスタッフや代行カウンタのスタッフは、この情報に基づいて、その商品を保管すべき商品置場を把握する。
【００２１】
〔作用・効果〕
本実施形態の情報処理システム１によれば、個人識別情報に基づいて、その個人識別情報によって識別される個人に割り当てられた商品置場を示す情報が出力される。つまり、この情報を参照することにより、代行カウンタに配送された商品を顧客別にまとめて保管することが容易となる。そして、購入した商品を顧客別にまとめて保管することにより、保管している商品を顧客に引き渡す際にかかる時間を削減し、その顧客の待ち時間を短縮させることができる。
【００２２】
以下、本実施形態の情報処理システム１についてより詳細に説明する。
【００２３】
〔具体例〕
図２は、第１実施形態の情報処理システム１の具体的なシステム構成の一例を示すブロック図である。図２に示されるように、情報処理システム１は、サーバ装置１０、複数の店舗端末２０、代行端末３０、及び媒体発行装置４０を備える。なお、図示されていないが、情報処理システム１は、複数のサーバ装置１０、複数の代行端末３０、複数の媒体発行装置４０を含んでいてもよい。
【００２４】
媒体発行装置４０は、個人識別情報を記録している媒体Ｍを発行する発行部４１０を備える。媒体発行装置４０は、例えば、ショッピングモールの入り口などに設けられる。顧客はショッピングモールに来店した際に媒体発行装置４０を操作して、発行部４１０から発行される媒体Ｍ（例えば、個人識別情報を記憶している磁気カードやＩＣ（Integrated Circuit）カード、個人識別情報をエンコードしたコードシンボルを含む紙媒体など）を受け取る。媒体Ｍに記憶されている個人識別情報は、個人を識別可能な情報であれば、特に限定されない。個人識別情報は、例えば、媒体Ｍの発行時に任意に割り当てられる一意な情報や媒体Ｍ毎に固有の製造番号などである。
【００２５】
サーバ装置１０は、店舗端末２０、代行端末３０、媒体発行装置４０と通信し、後述するように、個人別に保管された商品の受取を一括で行うことを支援する。サーバ装置１０は、置場紐付け部１１０、記憶部１１２、出力部１２０、取得部１３０、格納部１４０を備える。置場紐付け部１１０は、媒体発行装置４０による媒体Ｍの発行に応じて、該媒体Ｍの個人識別情報に置場情報を紐付けて、所定の記憶部（記憶部１１２）に格納する。本具体例において、出力部１２０は、後述するように代行端末３０から個人識別情報を取得し、当該取得した個人識別情報に紐付けられている置場情報を、記憶部１１２から読み出す。また出力部１２０は、読み出した置場情報を代行端末３０に出力する。取得部１３０は、後述するように、店舗端末２０から個人識別情報とその個人識別情報に対応する個人が購入する商品に関する情報を取得する。本具体例では、取得部２１０が、商品に関する情報として、その商品を収容する商品搬送用容器を示す容器情報を取得するケースを例示する。容器情報は、数字または文字の組み合わせからなる個別のＩＤ（Identifier）などの、各商品搬送用容器Ｃを一意に識別可能な情報（以下、容器識別情報とも表記）である。なお、商品に関する情報の他の例については、別の実施形態で説明する。サーバ装置１０の格納部１４０は、取得部１３０で取得した個人識別情報と容器識別情報とを互いに対応付けた状態で記憶部１１２に格納する。これにより、個人識別情報、置場情報、および容器識別情報（商品に関する情報）が互いに紐付けられる。
【００２６】
店舗端末２０は、売場毎または店舗毎に設けられる端末である。店舗端末２０の精算部２３０では、顧客が購入する商品を登録する処理（登録処理）やその商品を精算する処理（精算処理）が行われる。また店舗端末２０は、取得部２１０及び送信部２２０を有する。取得部２１０は、その店舗で商品を購入する個人（顧客）を識別する個人識別情報と、商品搬送用容器Ｃを識別する容器識別情報（商品に関する情報）を取得する。送信部２２０は、取得した個人識別情報と容器識別情報（商品に関する情報）とをサーバ装置１０へ送信する。なお取得部２１０および送信部２２０は、一体的な処理部として実現されていてもよい。
【００２７】
ここで商品搬送用容器とは、その顧客が購入する商品を収容する容器（例えば、専用のカートやかごなど）である。商品搬送用容器は、代行カウンタに併設される一時保管場所５０に配送され、そこで一時的に保管される。一時保管場所５０は複数の商品置場（例えば、予め定められた複数の区分領域、複数の収納スペースを有する棚など）を有している。
【００２８】
代行端末３０は、代行カウンタに設けられ、代行カウンタで業務を行うスタッフによって操作される。また代行端末３０は、取得部３１０および出力部３２０を有する。本具体例において、取得部３１０は、一時保管場所５０に配送されてきた商品搬送用容器Ｃから、容器識別情報を取得する。そして、取得した容器識別情報をサーバ装置１０に送信する。出力部３２０は、サーバ装置１０から出力された置場情報を、例えば代行端末３０に接続される表示装置や印刷装置などを介して出力する。
【００２９】
＜ハードウエア構成＞
サーバ装置１０、店舗端末２０、代行端末３０、媒体発行装置４０の各機能構成部は、各機能構成部を実現するハードウエア（例：ハードワイヤードされた電子回路など）で実現されてもよいし、ハードウエアとソフトウエアとの組み合わせ（例：電子回路とそれを制御するプログラムの組み合わせなど）で実現されてもよい。以下、サーバ装置１０、店舗端末２０、代行端末３０、媒体発行装置４０の各機能構成部がハードウエアとソフトウエアとの組み合わせで実現される場合について、さらに説明する。
【００３０】
図３は、第１実施形態の第１の具体例における情報処理システム１に含まれる各装置（サーバ装置１０、店舗端末２０、代行端末３０、媒体発行装置４０）のハードウエア構成を例示する図である。
【００３１】
サーバ装置１０は、バス１０１、プロセッサ１０２、メモリ１０３、ストレージ１０４、入出力インタフェース１０５、及び通信インタフェース１０６を有する。バス１０１は、データを送受信するためのデータ伝送路である。プロセッサ１０２、メモリ１０３、ストレージ１０４、入出力インタフェース１０５、及び通信インタフェース１０６は、バス１０１を介して相互にデータを送受信する。但し、プロセッサ１０２などを互いに接続する方法は、バス接続に限定されない。
【００３２】
プロセッサ１０２は、ＣＰＵ（Central Processing Unit）やＧＰＵ（Graphics Processing Unit）などの演算処理装置である。メモリ１０３は、ＲＡＭ（Random Access Memory）やＲＯＭ（Read Only Memory）などのメモリである。ストレージ１０４は、ＨＤＤ（Hard Disk Drive）、ＳＳＤ（Solid State Drive）、又はメモリカードなどの記憶装置である。また、ストレージ１０４は、ＲＡＭやＲＯＭなどのメモリであってもよい。
【００３３】
ストレージ１０４は、サーバ装置１０の上記機能構成部（置場紐付け部１１０、出力部１２０、取得部１３０、格納部１４０）を実現するプログラムモジュールを記憶している。プロセッサ１０２は、これら各プログラムモジュールを実行することにより、そのプログラムモジュールに対応する各機能構成部を実現する。ここでプロセッサ１０２は、上記各プログラムモジュールを実行する際、これらのプログラムモジュールをメモリ１０３上に読み出してから実行してもよいし、メモリ１０３上に読み出さずに実行してもよい。またストレージ１０４は、記憶部１１２として機能することもできる。
【００３４】
入出力インタフェース１０５は、サーバ装置１０と入出力デバイスとを接続するためのインタフェースである。入出力インタフェース１０５には、例えば、マウス、キーボードなどの入力装置や、ＣＲＴ（Cathode Ray Tube）ディスプレイやＬＣＤ（Liquid Crystal Display）などの表示装置、これら入力装置と表示装置が一体化したタッチパネルなどが接続される。なお、入出力インタフェース１０５には、入力装置や表示装置が接続されていなくてもよい。
【００３５】
通信インタフェース１０６は、サーバ装置１０を様々なネットワークに接続させて、該ネットワークを介して外部の装置（例えば、店舗端末２０、代行端末３０、媒体発行装置４０など）と通信させるためのインタフェースである。
【００３６】
店舗端末２０は、バス２０１、プロセッサ２０２、メモリ２０３、ストレージ２０４、入出力インタフェース２０５、及び通信インタフェース２０６を有する。バス２０１は、データを送受信するためのデータ伝送路である。プロセッサ２０２、メモリ２０３、ストレージ２０４、入出力インタフェース２０５、及び通信インタフェース２０６は、バス２０１を介して相互にデータを送受信する。但し、プロセッサ２０２などを互いに接続する方法は、バス接続に限定されない。
【００３７】
プロセッサ２０２は、ＣＰＵ（Central Processing Unit）やＧＰＵ（Graphics Processing Unit）などの演算処理装置である。メモリ２０３は、ＲＡＭ（Random Access Memory）やＲＯＭ（Read Only Memory）などのメモリである。ストレージ２０４は、ＨＤＤ（Hard Disk Drive）、ＳＳＤ（Solid State Drive）、又はメモリカードなどの記憶装置である。また、ストレージ２０４は、ＲＡＭやＲＯＭなどのメモリであってもよい。
【００３８】
ストレージ２０４は、店舗端末２０の上記機能構成部（取得部２１０、送信部２２０、精算部２３０）を実現するプログラムモジュールを記憶している。プロセッサ２０２は、これら各プログラムモジュールを実行することにより、そのプログラムモジュールに対応する各機能構成部を実現する。ここでプロセッサ２０２は、上記各プログラムモジュールを実行する際、これらのプログラムモジュールをメモリ２０３上に読み出してから実行してもよいし、メモリ２０３上に読み出さずに実行してもよい。
【００３９】
入出力インタフェース２０５は、店舗端末２０と入出力デバイスとを接続するためのインタフェースである。入出力インタフェース２０５には、例えば、マウス、キーボードなどの入力装置や、ＣＲＴ（Cathode Ray Tube）ディスプレイやＬＣＤ（Liquid Crystal Display）などの表示装置、これら入力装置と表示装置が一体化したタッチパネルなどが接続される。また入出力インタフェース２０５には、商品の登録処理や精算処理に用いる各種機器（例えば、商品を認識して精算対象として登録するためのハンディスキャナやイメージスキャナ、キャッシュドロア、レシートプリンタ、自動釣銭機など）が更に接続される。その他にも、入出力インタフェース２０５には、各種カードを読み取るカードリーダなどが接続されていてもよい。
【００４０】
通信インタフェース２０６は、店舗端末２０を様々なネットワークに接続させて、該ネットワークを介して外部の装置（例えば、サーバ装置１０や代行端末３０など）と通信させるためのインタフェースである。
【００４１】
代行端末３０は、バス３０１、プロセッサ３０２、メモリ３０３、ストレージ３０４、入出力インタフェース３０５、及び通信インタフェース３０６を有する。バス３０１は、データを送受信するためのデータ伝送路である。プロセッサ３０２、メモリ３０３、ストレージ３０４、入出力インタフェース３０５、及び通信インタフェース３０６は、バス３０１を介して相互にデータを送受信する。但し、プロセッサ３０２などを互いに接続する方法は、バス接続に限定されない。
【００４２】
プロセッサ３０２は、ＣＰＵ（Central Processing Unit）やＧＰＵ（Graphics Processing Unit）などの演算処理装置である。メモリ３０３は、ＲＡＭ（Random Access Memory）やＲＯＭ（Read Only Memory）などのメモリである。ストレージ３０４は、ＨＤＤ（Hard Disk Drive）、ＳＳＤ（Solid State Drive）、又はメモリカードなどの記憶装置である。また、ストレージ３０４は、ＲＡＭやＲＯＭなどのメモリであってもよい。
【００４３】
ストレージ３０４は、代行端末３０の上記機能構成部（取得部３１０、出力部３２０）を実現するプログラムモジュールを記憶している。プロセッサ３０２は、これら各プログラムモジュールを実行することにより、そのプログラムモジュールに対応する各機能構成部を実現する。ここでプロセッサ３０２は、上記各プログラムモジュールを実行する際、これらのプログラムモジュールをメモリ３０３上に読み出してから実行してもよいし、メモリ３０３上に読み出さずに実行してもよい。
【００４４】
入出力インタフェース３０５は、代行端末３０と入出力デバイスとを接続するためのインタフェースである。入出力インタフェース３０５には、例えば、マウス、キーボードなどの入力装置や、ＣＲＴ（Cathode Ray Tube）ディスプレイやＬＣＤ（Liquid Crystal Display）などの表示装置、これら入力装置と表示装置が一体化したタッチパネルなどが接続される。入出力インタフェース３０５には、商品搬送用容器の容器識別情報を取得するための装置（例えば、ＲＦＩＤ（Radio Frequency Identifier）の読取装置やコードリーダ装置など）が接続される。また入出力インタフェース３０５には、プリンタなどの印刷装置が更に接続されていてもよい。その他にも、入出力インタフェース３０５には、各種カードを読み取るカードリーダなどが接続されていてもよい。
【００４５】
通信インタフェース３０６は、代行端末３０を様々なネットワークに接続させて、該ネットワークを介して外部の装置（例えば、サーバ装置１０や店舗端末２０など）と通信させるためのインタフェースである。
【００４６】
媒体発行装置４０は、バス４０１、プロセッサ４０２、メモリ４０３、ストレージ４０４、入出力インタフェース４０５、及び通信インタフェース４０６を有する。バス４０１は、データを送受信するためのデータ伝送路である。プロセッサ４０２、メモリ４０３、ストレージ４０４、入出力インタフェース４０５、及び通信インタフェース４０６は、バス４０１を介して相互にデータを送受信する。但し、プロセッサ４０２などを互いに接続する方法は、バス接続に限定されない。
【００４７】
プロセッサ４０２は、ＣＰＵ（Central Processing Unit）やＧＰＵ（Graphics Processing Unit）などの演算処理装置である。メモリ４０３は、ＲＡＭ（Random Access Memory）やＲＯＭ（Read Only Memory）などのメモリである。ストレージ４０４は、ＨＤＤ（Hard Disk Drive）、ＳＳＤ（Solid State Drive）、又はメモリカードなどの記憶装置である。また、ストレージ４０４は、ＲＡＭやＲＯＭなどのメモリであってもよい。
【００４８】
ストレージ４０４は、サーバ装置１０の上記機能構成部（発行部４１０）を実現するプログラムモジュールを記憶している。プロセッサ１０２は、このプログラムモジュールを実行することにより、そのプログラムモジュールに対応する各機能構成部を実現する。ここでプロセッサ４０２は、上記プログラムモジュールを実行する際、これらのプログラムモジュールをメモリ４０３上に読み出してから実行してもよいし、メモリ４０３上に読み出さずに実行してもよい。
【００４９】
入出力インタフェース４０５は、媒体発行装置４０と入出力デバイスとを接続するためのインタフェースである。入出力インタフェース４０５には、例えば、マウス、キーボードなどの入力装置や、ＣＲＴ（Cathode Ray Tube）ディスプレイやＬＣＤ（Liquid Crystal Display）などの表示装置、これら入力装置と表示装置が一体化したタッチパネルなどが接続される。入出力インタフェース４０５には、媒体Ｍを発行するための媒体出力装置４０５１が更に接続される。特に限定されないが、媒体Ｍは、例えば、個人識別情報を記憶する磁気カードやＩＣカード、個人識別情報をエンコードしたコードシンボルを含む紙媒体などである。
【００５０】
通信インタフェース４０６は、媒体発行装置４０を様々なネットワークに接続させて、該ネットワークを介して外部の装置（例えば、サーバ装置１０など）と通信させるためのインタフェースである。
【００５１】
なお、サーバ装置１０、店舗端末２０、代行端末３０、媒体発行装置４０のハードウエア構成は図３に示した構成に限定されない。
【００５２】
＜動作例＞
以下、図を用いて、本具体例における動作の一例について説明する。
【００５３】
図４は、媒体に記憶されている個人識別情報に場所情報を紐付ける処理の流れを示すフローチャートである。
【００５４】
まず、媒体発行装置４０の発行部４１０は、媒体Ｍの発行に応じて、その媒体Ｍの個人識別情報をサーバ装置１０に通知する（Ｓ１０２）。サーバ装置１０の置場紐付け部１１０は、媒体発行装置４０から取得した通知を受けると、一時保管場所５０の中で空いている商品置場（他の顧客用として割り当てられていない商品置場）を特定する（Ｓ１０４）。この場合、例えば一時保管場所５０内の各商品置場の使用状況を所定の記憶部で管理しておくことにより、置場紐付け部１１０は、その記憶部を参照して、一時保管場所５０の中で空いている商品置場を判別することができる。そして、サーバ装置１０の置場紐付け部１１０は、特定した商品置場の中で、Ｓ１０２で受け取った個人識別情報により識別される個人に割り当てる商品置場を決定する（Ｓ１０６）。ここで置場紐付け部１１０は、空いている商品置場の中から任意の商品置場を自動的に選択してもよいし、空いている商品置場を示す情報を例えば代行端末３０の表示部などに出力し、代行端末３０を介して割り当てるべき商品置場の選択入力を受け付けてもよい。また、置場紐付け部１１０は、例えば顧客の属性（例えば同行している人数など）を事前に取得し、その属性に基づいて割り当てる商品置場の広さを決定してもよい。そして、置場紐付け部１１０は、Ｓ１０２で受け取った媒体Ｍの個人識別情報と、Ｓ１０６で決定した個人用に割り当てる商品置場を示す置場情報とを互いに紐付けた状態で、記憶部１１２に格納する（Ｓ１０８）。
【００５５】
図５は、店舗での購入された商品を商品搬送用容器に収容し、該商品搬送用容器を一時保管場所５０に保管するまでの流れを示すフローチャートである。
【００５６】
まず、店舗端末２０は、顧客が購入する商品を精算対象として登録する処理（登録処理）およびその商品の精算処理を行う（Ｓ２０２）。精算された商品は、例えば専用のカートやかごといった、商品搬送用容器に収容される。商品搬送用容器は、店舗別のものであってもよいし、全ての店舗で共通のものであってもよい。また、代行カウンタで精算処理を行うことができる場合は、ここで精算処理が行われなくてもよい。
【００５７】
そして、商品搬送用容器に収容された商品とその商品を購入した人物とを対応付けるために、店舗端末２０の取得部２１０は、各顧客を識別する個人識別情報と、商品を収容した商品搬送用容器の容器識別情報とを取得する（Ｓ２０４）。店舗端末２０の取得部２１０は、例えば、個人を識別可能な情報を記憶する媒体（例えば、本システムにおいて個人を識別する用途で予め発行されたカードなど）をカードリーダで読み取ることで、個人を識別する情報を取得することができる。その他にも、店舗端末２０の取得部２１０は、顧客が予め作成したアカウント情報といった個人を特定可能な情報を、個人識別情報として取得してもよい。この場合、店舗端末２０の取得部２１０は、入出力インタフェース２０５に接続された入力装置（タッチパネルやキーボード等）を介して、顧客識別情報を取得することができる。また容器識別情報は、例えば、ＲＦＩＤ（Radio Frequency Identifier）タグなどに記憶されている。取得部２１０は、店舗端末２０の入出力インタフェース２０５に接続されたＲＦＩＤタグの読取装置を介して、ＲＦＩＤタグに記憶されている容器識別情報を取得する。容器識別情報は、１次元コード（バーコードなど）または２次元コード（ＱＲコード（登録商標）など）といったコードシンボルにエンコードされていてもよい。この場合、取得部２１０は、店舗端末２０の入出力インタフェース２０５に接続されたコードリーダ装置を介して、コードシンボルにエンコードされた容器識別情報を取得する。容器識別情報を記憶するＲＦＩＤタグやコードシンボルは、商品搬送用容器に予め取り付けられていてもよいし、商品搬送用容器に取り付けられていない状態で別途用意されていてもよい。後者の場合、店舗のスタッフがＲＦＩＤタグやシールなどに印字されたコードシンボルを商品搬送用容器に取り付けることになる。
【００５８】
そして、店舗端末２０の送信部２２０は、Ｓ２０４で取得した顧客識別情報と容器識別情報とを紐付けた状態でサーバ装置１０に送信する（Ｓ２０６）。サーバ装置１０の取得部１３０は、Ｓ２０６で送信された顧客識別情報及び容器識別情報を取得する。そしてサーバ装置１０の格納部１４０は、取得した顧客識別情報および容器識別情報を、互いに紐付けた状態で記憶部１１２に格納する。そして、配送スタッフは、商品を収容した商品搬送用容器を代行カウンタまで移動させる（Ｓ２０８）。
【００５９】
商品搬送容器が代行カウンタに配送されると、配送された商品搬送容器から容器識別情報が取得される（Ｓ２１０）。具体的には、代行端末３０の取得部３１０は、ＲＦＩＤの読取装置やコードリーダ装置といった、商品搬送用容器の容器識別情報を読み取るための装置を用いて、配送された商品搬送用容器から容器識別情報を取得する。そして取得部３１０は、取得した容器識別情報をサーバ装置１０に送信する。
【００６０】
サーバ装置１０の出力部１２０は、代行端末３０から取得した容器識別情報を基に、代行端末３０に返却すべき置場情報を特定する（Ｓ２１２）。具体的には、出力部１２０は、代行端末３０から取得した容器識別情報を用いて記憶部１１２を検索し、該容器識別情報に紐付けられている個人識別情報を特定する。さらに出力部１２０は、特定した個人識別情報を用いて記憶部１１２を検索し、該個人識別情報に紐付けられている置場情報を特定する。そして出力部１２０は、特定した置場情報を記憶部１１２から読み出し、代行端末３０に送信する。
【００６１】
代行端末３０の出力部３２０は、サーバ装置１０から取得した置場情報を代行端末３０の表示部などに出力する（Ｓ２１４）。出力部３２０は、例えば、図６に示すような画面を代行端末３０の表示部に表示させる。図６は、出力部３２０が出力する情報の一例を示す図である。図６では、一時保管場所５０の全体マップと共に、商品搬送用容器を保管すべき商品置場５２を示す情報が表示されている。代行カウンタのスタッフは、この情報によって示される商品置場５２に、配送されてきた商品搬送用容器を保管する。
【００６２】
このように置場情報を出力することにより、顧客から一時的に預かった商品を顧客別に保管することが可能となり、顧客が商品を受け取りに代行カウンタに来た際に、スムーズに商品を受け渡すことができる。
【００６３】
なお、店舗端末２０は、取得部２１０が取得した個人識別情報を、商品搬送用容器に設けられた記憶手段（ＲＦＩＤタグなど）に送信する構成を備えていてもよい。この場合、代行端末３０の取得部３１０は、代行カウンタに配送された商品搬送用容器に設けられた記憶手段から個人識別情報を取得し、サーバ装置１０に送信することができる。そして、サーバ装置１０の出力部１２０は、代行端末３０から取得した個人識別情報に紐付けられている置場情報を記憶部１１２の中から特定し、代行端末３０に出力する。代行端末３０の出力部３２０は、このように出力された置場情報を表示部などに出力する。このような構成であっても、上述したような効果を得ることができる。
【００６４】
また、店舗端末２０は、取得部２１０が取得した個人識別情報を商品搬送用容器に設けられた記憶手段（ＲＦＩＤタグなど）に送信する構成を備えていてもよい。この場合、代行端末３０の取得部３１０は、代行カウンタに配送された商品搬送用容器に設けられた記憶手段から個人識別情報を取得することができる。この場合、取得部３１０は、取得した個人識別情報をサーバ装置１０に送信する。サーバ装置１０の出力部１２０は、取得した個人識別情報を用いて、当該個人識別情報に紐付けられている置場情報を記憶部１１２の中から特定する。そしてサーバ装置１０の出力部１２０は、特定した置場情報を代行端末３０へ送信する。そして、代行端末３０の出力部３２０は、サーバ装置１０から取得した置場情報を表示部などに出力する。このような構成であっても、上述したような効果を得ることができる。
【００６５】
また、店舗端末２０は、取得部２１０が取得した個人識別情報を基にサーバ装置１０からその個人識別情報に紐付けられている置場情報を取得し、取得した置場情報を商品搬送用容器に設けられた記憶手段（ＲＦＩＤタグなど）に送信する構成を備えていてもよい。この場合、代行端末３０の取得部３１０は、代行カウンタに配送された商品搬送用容器に設けられた記憶手段から置場情報を取得することができる。そして、代行端末３０の出力部３２０は、商品搬送用容器に設けられた記憶手段から取得された置場情報を表示部などに出力する。このような構成であっても、上述したような効果を得ることができる。
【００６６】
また、情報処理システム１は、媒体発行装置４０の代わりに、個人の認証データを取得する認証データ取得部を備える装置を備えていてもよい。認証データは、例えば、個人が保有するその個人を識別し得るカード（例えば、クレジットカード、キャッシュカード、ショッピングモールや店舗の会員カードなど）が記録している固有のデータや、その個人の生体情報データ（顔、指紋、または静脈の画像データなど）といった、個人識別情報として用いることができるデータである。この場合、置場紐付け部１１０は、認証データ取得部で認証データが取得されると、その認証データに置場情報を紐付けて、所定の記憶部（記憶部１１２）に格納する。またこの場合、図を用いて説明した具体例の処理において、認証データは媒体の個人識別情報の代わりとして用いられる。このような構成であっても、上述したような効果を得ることができる。
【００６７】
［第２実施形態］
本実施形態は、以下の点を除いて、第１実施形態と同様の構成を有する。
【００６８】
本実施形態の置場紐付け部１１０は、個人識別情報と置場情報との紐付けを解除する解除要求を受け付け、当該解除入力によって指定される個人識別情報と置場情報の紐付けを解除する。ここで「解除入力」とは、個人に割り当てられた商品置場が利用される可能性が低いと判断可能な何らかの入力のことを意味する。例えば、置場紐付け部１１０は、媒体発行装置４０から発行された媒体が返却されたことを示す入力や、商品置場に保管されていた商品の引き渡しが完了したことを示す入力などを解除入力として用いることができる。
【００６９】
〔ハードウエア構成〕
本実施形態の情報処理システム１は、以下の点を除き、第１実施形態と同様のハードウエア構成（図３）を有する。
【００７０】
サーバ装置１０のストレージ１０４は、本実施形態の置場紐付け部１１０の機能を実現するプログラムモジュールを更に記憶している。プロセッサ１０２がこのプログラムモジュールを実行することにより、上述の置場紐付け部１１０の機能が実現される。
【００７１】
〔動作例〕
以下、図を用いて本実施形態の動作例を説明する。図７は、第２実施形態の情報処理システム１の動作の概要を説明するためのフローチャートである。
【００７２】
まず、置場紐付け部１１０は解除入力を受け付ける（Ｓ３０２）。例えば、代行カウンタである顧客が媒体を返却したとする。この場合、代行カウンタのスタッフは、当該返却された媒体を代行端末３０に接続された読取装置に読み取らせ、その媒体の個人識別情報を代行端末３０に取得させる。代行端末３０は、取得した個人識別情報を含む媒体返却通知をサーバ装置１０に送信し、サーバ装置１０の置場紐付け部１１０はこの通知を解除入力として受け付ける。また例えば、ある商品置場に保管している商品の引き渡しが完了したとする。この場合、代行端末３０では、商品の引き渡しが完了したことを示す何らかの操作が行われる。代行端末３０は、該操作に応じてその商品置場を識別する情報を含む商品引渡完了通知をサーバ装置１０に送信し、サーバ装置１０の置場紐付け部１１０はこの通知を解除入力として受け付ける。
【００７３】
そして、置場紐付け部１１０は、受け付けた解除入力によって指定される個人識別情報と置場情報との紐付けを解除する（Ｓ３０４）。例えば、置場紐付け部１１０は、個人識別情報を含む媒体返却通知を受け付けた場合、その個人識別情報に基に記憶部１１２を検索し、解除の対象とする個人識別情報と置場情報との紐付けを特定する。同様に、置場紐付け部１１０は、商品置場を識別する情報を含む商品引渡完了通知を受け付けた場合、その商品置場を識別する情報に基に記憶部１１２を検索し、解除の対象とする個人識別情報と置場情報との紐付けを特定する。置場紐付け部１１０は、記憶部１１２から特定した紐付けを削除する、或いは、解除済みであることを示すフラグ情報などを付与するなどして、人識別情報と置場情報との紐付けを解除する。
【００７４】
〔作用・効果〕
以上、本実施形態によれば、解除入力に応じて、ある顧客に割り当てられた商品置場が解放される。そして、解放された商品置場は、新たな顧客に対して再度割り当てることが可能となる。
【００７５】
［第３実施形態］
〔システム構成〕
図８は、第３実施形態の情報処理システム１のシステム構成を例示するブロック図である。本実施形態の情報処理システム１において、代行端末３０は、商品の精算処理を行う
精算部３３０を更に備える。つまり、本実施形態の情報処理システム１は、商品の精算処理を行う処理部として、店舗端末２０の精算部２３０（第１の精算部）、および、代行端末３０の精算部３３０（第２の精算部）を備える。
【００７６】
〔ハードウエア構成〕
本実施形態のサーバ装置１０、店舗端末２０、代行端末３０、および媒体発行装置４０は、以下の点を除き、第１実施形態と同様のハードウエア構成（図３）を有する。
【００７７】
代行端末３０のストレージ３０４は、精算部３３０の機能を実現するプログラムモジュールを更に記憶している。プロセッサ３０２がこのプログラムモジュールを実行することにより、代行端末３０で商品の精算処理を実行する機能が実現される。この場合、入出力インタフェース３０５は、また入出力インタフェース３０５には、商品の精算処理に用いる各種機器（例えば、キャッシュドロア、レシートプリンタ、自動釣銭機など）が更に接続される。
【００７８】
＜動作例＞
以下、図を用いて、本実施形態の動作の一例について説明する。本実施形態において、顧客は購入した商品の代金を店舗で支払うか否かを選択することができる。顧客は、購入した商品の代金を店舗で支払わなかった場合、代行カウンタに設けられた代行端末３０においてその代金を支払うことになる。
【００７９】
図９は、店舗での購入された商品を商品搬送用容器に収容し、該商品搬送用容器を代行カウンタへ移動させるまでの流れを示すフローチャートである。
【００８０】
まず、店舗端末２０は、顧客が購入する商品を精算対象として登録する処理（登録処理）を行う（Ｓ３０２）。精算対象として登録された商品は、例えば専用のカートやかごといった、商品搬送用容器に収容される。商品搬送用容器は、店舗別のものであってもよいし、全ての店舗で共通のものであってもよい。
【００８１】
そして、商品搬送用容器に収容された商品とその商品を購入した人物とを対応付けるために、店舗端末２０の取得部２１０は、各顧客を識別する個人識別情報と、商品を収容した商品搬送用容器の容器識別情報とを取得する（Ｓ３０４）。店舗端末２０の取得部２１０は、例えば、個人を識別可能な情報を記憶する媒体（例えば、本システムにおいて個人を識別する用途で予め発行されたカードなど）をカードリーダで読み取ることで、個人を識別する情報を取得することができる。その他にも、店舗端末２０の取得部２１０は、顧客が予め作成したアカウント情報といった個人を特定可能な情報を、個人識別情報として取得してもよい。この場合、店舗端末２０の取得部２１０は、入出力インタフェース２０５に接続された入力装置（タッチパネルやキーボード等）を介して、顧客識別情報を取得することができる。また容器識別情報は、例えば、ＲＦＩＤ（Radio Frequency Identifier）タグなどに記憶されている。取得部２１０は、店舗端末２０の入出力インタフェース２０５に接続されたＲＦＩＤタグの読取装置を介して、ＲＦＩＤタグに記憶されている容器識別情報を取得する。容器識別情報は、１次元コード（バーコードなど）または２次元コード（ＱＲコード（登録商標）など）といったコードシンボルにエンコードされていてもよい。この場合、取得部２１０は、店舗端末２０の入出力インタフェース２０５に接続されたコードリーダ装置を介して、コードシンボルにエンコードされた容器識別情報を取得する。容器識別情報を記憶するＲＦＩＤタグやコードシンボルは、商品搬送用容器に予め取り付けられていてもよいし、商品搬送用容器に取り付けられていない状態で別途用意されていてもよい。後者の場合、店舗のスタッフがＲＦＩＤタグやシールなどに印字されたコードシンボルを商品搬送用容器に取り付けることになる。
【００８２】
そして、顧客は、購入する商品を店舗で精算するか否かを選択する（Ｓ３０６）。
【００８３】
顧客が店舗で商品を精算しない場合（Ｓ３０６：ＮＯ）、店舗端末２０の送信部２２０は、その顧客が購入する商品の商品情報を、Ｓ３０４で取得した顧客識別情報及び容器識別情報に紐付けてサーバ装置１０に送信する（Ｓ３０８）。ここで、商品情報とは、精算が済んでいない商品の価格を少なくとも含む情報である。言い換えると、商品情報は、商品搬送用容器に収容された商品が未精算であることを示す情報である。商品情報は、例えば商品の識別情報、商品の名称、商品の購入数、割引や値引の有無といった、代行端末３０が精算処理を行うときに利用可能なその他の情報を更に含んでいてもよい。また、顧客が店舗で商品を精算する場合（Ｓ３０６：ＹＥＳ）、店舗端末２０の精算部２３０で商品の精算処理が行われ、店舗端末２０の送信部２２０は、その顧客が購入する商品が精算済みであることを示す情報（精算完了情報）を、Ｓ３０４で取得した顧客識別情報及び容器識別情報に紐付けてサーバ装置１０に送信する（Ｓ３１０）。サーバ装置１０の取得部１３０は、Ｓ３０８またはＳ３１０で送信された情報を取得する。そして、サーバ装置１０の格納部１４０は、取得した情報（個人識別情報、容器識別情報、精算済／未精算を示す情報（以下、精算情報とも表記））を互いに紐付けた状態で記憶部１１２に格納する。また、配送スタッフは、商品を収容した商品搬送用容器を代行カウンタまで移動させる（Ｓ３１２）。代行カウンタに配送された商品搬送用容器は、第１実施形態で説明したように、個人別に割り当てられた商品置場に保管される。
【００８４】
図１０は、代行カウンタに移動された商品を受け取るまでの流れを説明するフローチャートである。
【００８５】
まず、代行端末３０の取得部３１０が、個人識別情報の入力を受け付ける（Ｓ４０２）。代行端末３０の取得部３１０は、例えば、個人を識別可能な情報を記憶する媒体（例えば、本システムにおいて個人を識別する用途で予め発行されたカードなど）をカードリーダで読み取ることで、個人を識別する情報を取得することができる。その他にも、代行端末３０の取得部３１０は、顧客が予め作成したアカウント情報といった個人を特定可能な情報を、個人識別情報として取得してもよい。この場合、店舗端末２０の取得部２１０は、入出力インタフェース２０５に接続された入力装置（タッチパネルやキーボード等）を介して、顧客識別情報を取得することができる。そして代行端末３０の取得部３１０は、取得した個人識別情報をサーバ装置１０に送信する。
【００８６】
サーバ装置１０の出力部１２０は、代行端末３０から取得した個人識別情報を用いて記憶部１１２を参照し、その個人識別情報に紐付けられた情報（容器識別情報、精算済／未精算を示す精算情報）を取得する（Ｓ４０４）。そして、サーバ装置１０の出力部１２０は、受け取った情報を代行端末３０に送信する。
【００８７】
代行端末３０の出力部３２０は、Ｓ４０２の応答としてサーバ装置１０から取得した精算情報に基づいて、商品の精算処理の実行要否を判定する（Ｓ４０６）。具体的には、Ｓ４０２で送信した個人識別情報または該個人識別情報により特定される容器識別情報に、商品情報（未精算を示す情報）が紐付けられている場合（Ｓ４０６：商品情報）、代行端末３０の出力部３２０は、精算が済んでいない商品に関する情報（例えば、商品の合計金額など）を精算部３３０に出力する（Ｓ４０８）。そして、代行端末３０の精算部３３０は、受け取った情報を基に、当該代行端末３０に設けられた精算処理用の各種機器を用いて、精算が済んでいない商品を精算する（Ｓ４１０）。一方、Ｓ４０２で送信した個人識別情報または該個人識別情報により特定される容器識別情報に、精算完了情報が紐付けられている場合（Ｓ４０６：精算完了情報）、上述の処理は実行されない。なお、顧客が複数の店舗で商品を購入していて、その一部の商品について精算が済んでいない場合は、Ｓ４１０では、精算が済んでいない一部の商品の精算処理が実行されることになる。
【００８８】
そして代行端末３０の出力部３２０は、Ｓ４０２で送信した個人識別情報に紐付けられた容器識別情報に対応する商品搬送用容器の情報を、代行端末３０の表示部などに出力する（Ｓ４１２）。代行端末３０の出力部３２０は、例えば、商品搬送用容器の位置、商品搬送容器に個別に割り当てられた識別番号、商品搬送用容器の色や形状などを、代行端末３０の表示部や代行端末３０に接続された印刷装置（図示せず）などに出力する。代行カウンタのスタッフは、このように出力された情報を基に、一時保管場所に保管された商品搬送容器の中から、顧客に渡すべき商品を収容している商品搬送用容器を判別する。そして、代行カウンタのスタッフは、その商品搬送用容器に収容されている商品を集荷して、顧客に引き渡す（Ｓ４１４）。
【００８９】
〔作用・効果〕
以上、本実施形態によれば、個人識別情報を基に特定された商品搬送用容器に収容されている商品の精算を、代行カウンタにおいて一括で行うことが可能となり、顧客の手間を低減させることができる。
【００９０】
［第４実施形態］
〔システム構成〕
図１１は、第４実施形態に係る情報処理システム１のシステム構成を例示するブロック図である。本実施形態の情報処理システム１では、店舗には商品のサンプルのみが置いてあり、実際の商品は、代行カウンタやその他の場所に設けられた商品倉庫６０に用意されているものとする。図１１の例では商品倉庫６０は、代行カウンタに併設されている。本実施形態の情報処理システム１を構築する各装置は、上述の各実施形態と同様の構成を有している。なお、図１１では、第１実施形態の構成をベースとする構成が例示されている。本実施形態の情報処理システム１は、第３実施形態と同様に、店舗端末で商品登録を行い、代行端末で精算処理を行う構成を有していてもよい。
【００９１】
本実施形態において、顧客は、店舗に置かれた商品サンプルを確認して、購入する商品を決定する。店舗の店員は、店舗端末２０の精算部２３０を用いて、その商品の登録を行う。なお、店舗端末２０の精算部２３０は、商品の精算処理を更に行うこともできる。店舗端末２０の取得部２１０は、その店舗で商品を購入する個人（顧客）を識別する個人識別情報と、その個人識別情報に対応する個人が購入する商品に関する情報を取得する。個人識別情報と送信部２２０は、取得した個人識別情報と、上記の商品に関する情報とを紐付けてサーバ装置１０へ送信する。なお取得部２１０および送信部２２０は、一体的な処理部として実現されていてもよい。
【００９２】
本実施形態において、商品に関する情報は、例えば、精算部２３０で登録された商品を一意に識別可能な商品識別情報（例えばＪＡＮ（Japan Article Number）コードから読み取り可能な、数字または文字の組み合わせからなる個別のＩＤなど）、または、該商品識別情報に紐付けられた商品を一意に特定可能な情報（商品名称や商品の型番など）である。
【００９３】
サーバ装置１０の取得部１３０は、店舗端末２０の送信部２２０から送信された、個人識別情報と商品に関する情報とを取得する。サーバ装置１０の格納部１４０は、取得部１３０で取得した個人識別情報と商品に関する情報とを互いに対応付けた状態で記憶部１１２に格納する。これにより、個人識別情報、置場情報、および商品に関する情報が互いに紐付けられる。
【００９４】
〔ハードウエア構成〕
本実施形態のサーバ装置１０、店舗端末２０、代行端末３０、および媒体発行装置４０は、上述の各実施形態と同様のハードウエア構成（図３）を有し、上述の各実施形態と同様にして上述の機能構成部を実現する。
【００９５】
＜動作例＞
以下、本実施形態の具体的な動作例について、図１２乃至図１７を用いて説明する。図１２乃至図１７は、第４実施形態の具体的な動作例を示すフローチャートである。
【００９６】
まず、店舗の精算部２３０は、商品の登録処理および精算処理を行う（Ｓ５０２）。このとき、取得部２１０は、商品を購入する個人の個人識別情報と共に、精算部２３０で登録された商品に関する情報を取得する（Ｓ５０４）。店舗端末２０の取得部２１０は、例えば、個人を識別可能な情報を記憶する媒体（例えば、本システムにおいて個人を識別する用途で予め発行されたカードなど）をカードリーダで読み取ることで、個人識別情報を取得することができる。また取得部２１０は、例えば、バーコードなどから読み取り可能な商品識別情報や当該商品識別情報に紐付けられた商品名称または商品の型番などを取得する。店舗端末２０の送信部２２０は、取得した個人識別情報と商品に関する情報とを紐付けてサーバ装置１０に送信する（Ｓ５０６）。
【００９７】
サーバ装置１０の取得部１３０は、店舗端末２０から送信された、個人識別情報と商品に関する情報とを取得する（Ｓ６０２）。そして、サーバ装置１０の格納部１４０は、取得部１３０により取得された個人識別情報と商品に関する情報とを紐付けた状態（例：図１８）で記憶部１１２に記憶する。図１８は、記憶部１１２が記憶する情報の一例を示す図である。このとき、格納部１４０は、商品を商品置場に配送したか否かを示す配送フラグを「未（配送が済んでいないことを示す情報）」に設定する。なお、顧客が１つも商品を購入していない場合、商品に関する情報には何も設定されていない状態となる（例：図１８の顧客識別情報＝「Ｃ００３」）。ある置場情報に、配送フラグが「未」である商品の情報が紐付けられている場合、その置場情報に対応する商品置場に配送すべき商品が存在することを示す。詳細は後述するが、この情報は、代行端末３０で表示される、各商品置場の状態を確認する画面で利用される。このようにして、個人識別情報、置場情報、および商品に関する情報が、それぞれ互いに紐付けられる（Ｓ６０４）。ここで、本動作例では、サーバ装置１０は代行端末３０に所定の通知を行う通知部（図示せず）を更に有し、その通知部が、商品に関する情報が新たに紐付けられたことを示す通知情報を代行端末３０に送信するものとする（Ｓ６０６）。
【００９８】
代行端末３０は、サーバ装置１０からの通知情報を、代行端末３０に接続された表示装置などに表示する（Ｓ７０２）。代行端末３０のオペレータは、この通知情報を確認して、商品置場の状況を確認するための画面を表示する操作を行う（Ｓ７０４）。代行端末３０は、この画面の表示操作に応じて、例えば図１９に示すような画面を代行端末３０の表示装置に表示させる。図１９は、商品置場の状況を確認するための画面の一例を示す図である。図１９では、一時保管場所５０の全体マップと共に、配送すべき商品が存在する商品置場５２Ａと、配送すべき商品が存在しない商品置場５２Ｂとを、識別可能に表示する画面が例示されている。なお、代行端末３０が表示する画面は図１９の例に限定されない。代行端末３０のオペレータは、図１９に例示されるような画面に対して、商品置場の選択操作を行う（Ｓ７０６）。図１９に例示されるような画面において、代行端末３０のオペレータが、マウスやタッチパネルなどを用いて商品置場５２を示す画面要素を選択することで、代行端末３０は、選択された商品置場に対応する置場情報を取得することができる。そして、代行端末３０は、取得した置場情報をサーバ装置１０に送信する（Ｓ７０８）。
【００９９】
サーバ装置１０は、代行端末３０から送信されてきた置場情報を取得すると、その置場情報に紐付けられている情報（商品に関する情報）を、記憶部１１２から読み出す（Ｓ８０２）。ここで、サーバ装置１０は、配送フラグが「未」である商品に関する情報（図１８の例では「商品名称」）を読み出す。図１８の例において、代行端末３０から置場情報「２−Ｅ」を受信した場合、サーバ装置１０は、商品名称「ｙｙｙ」および商品名称「ｚｚｚ」の情報を読み出す。そして、サーバ装置１０は、読み出した商品に関する情報を、代行端末３０に送信する（Ｓ８０４）。
【０１００】
代行端末３０の出力部３２０は、サーバ装置１０から取得した商品に関する情報を出力する（Ｓ９０２）。代行端末３０の出力部３２０は、例えば、図２０に示すような情報を、表示装置や印刷装置を介して出力する。図２０は、出力部３２０が出力する情報の一例を示す図である。図２０では、商品置場２−Ｅに配送すべき商品リストと、商品倉庫６０における各商品の格納場所を含む情報を出力する例が示されている。代行端末３０のスタッフは、このような情報を確認し、商品倉庫６０から配送すべき商品を持ち出し、一時保管場所５０の商品置場に移動させる（Ｓ９０４）。そして、代行端末３０のスタッフは、所定の画面を介して、商品の配送が完了したことを示す情報を代行端末３０に入力する。代行端末３０は、この入力に応じて、配送を行った商品置場に対応する置場情報と共に、商品の配送が完了したことを示す通知（配送完了通知）をサーバ装置１０に送信する（Ｓ９０６）。
【０１０１】
サーバ装置１０は、配送完了通知に応じて、商品の配送フラグを更新する（Ｓ１００２）。具体的には、サーバ装置１０は、配送完了通知と共に受け取った置場情報を用いて、その置場情報に紐付けられている商品の配送フラグを「済（配送が済んだことを示す情報）」に更新する（例：図２１）。図２１は、配送フラグを更新した後の状態を例示する図である。これ以降に、代行端末３０で商品置場の状況を確認するための画面を表示する操作が行われると、代行端末３０の表示装置には図２２に示すような画面が表示される。図２２は、商品置場の状況を確認するための画面の一例を示す図である。図２１のように情報が更新された場合、代行端末３０で表示される画面では、図２２に示されるように、配送すべき商品が存在しなくなった商品置場２−Ｅの表示が変更される。
【０１０２】
以上、本実施形態においても、代行カウンタに配送された商品を顧客別にまとめて保管することが容易となる。そして、購入した商品を顧客別にまとめて保管することにより、保管している商品を顧客に引き渡す際にかかる時間を削減し、その顧客の待ち時間を短縮させることができる。
【０１０３】
以上、図面を参照して本発明の実施形態について述べたが、これらは本発明の例示であり、上記以外の様々な構成を採用することもできる。
【０１０４】
例えば、店舗端末２０は、情報処理システム１で提供されるサービスの加盟店で利用される端末であり、代行端末３０は、空港や鉄道駅など主要な交通機関の代行カウンタで利用される端末であってもよい。この場合、上述の加盟店で商品を購入した顧客は、空港や鉄道駅などの主要な交通機関に設けられた代行カウンタにおいて、商品をまとめて受け取ることが可能になる。このようなサービスにおいて、商品搬送用容器は、商品を梱包する箱（段ボール箱など）である。
【０１０５】
また、顧客に引き渡す商品の梱包作業は、基本的には代行カウンタで行うことができる。また、商品の梱包作業は、店舗で行われてもよい。この場合、梱包物（店舗の紙袋など）に商品識別情報を記憶するＲＦＩＤやコードシンボルを付与してもよい。また、商品を一括梱包とするか、または、少なくとも一部の商品を個別梱包とするかを店舗で選択可能であってもよい。
【０１０６】
また、サーバ装置１０の各機能構成部の少なくとも一部を代行端末３０が備えていてもよい。或いは、代行端末３０が、置場紐付け部１１０、出力部１２０、取得部１３０および格納部１４０を有していてもよい。
【０１０７】
また、上述の説明で用いた複数のフローチャートでは、複数の工程（処理）が順番に記載されているが、各実施形態で実行される工程の実行順序は、その記載の順番に制限されない。各実施形態では、図示される工程の順番を内容的に支障のない範囲で変更することができる。また、上述の各実施形態は、内容が相反しない範囲で組み合わせることができる。
【０１０８】
以下、参考形態の例を付記する。
１．
店舗端末と代行端末とサーバとを備えた情報処理システムにおいて、
前記サーバが、
個人を識別する個人識別情報に前記個人が購入する商品の商品置場を示す置場情報を紐付ける置場紐付け手段と、
前記個人識別情報と前記置場情報とを紐づけて格納する記憶手段と、
を備え、
前記代行端末が、
前記個人識別情報を取得し、当該取得した個人識別情報に紐付けられている置場情報を前記記憶手段から読み出して出力する出力手段を備える、
情報処理システム。
２．
前記店舗端末が、
個人を識別する個人識別情報を取得し、前記個人識別情報と前記個人が購入する商品に関する情報とを紐づけて前記サーバに送信し、
前記サーバが、
前記商品に関する情報を前記個人識別情報および前記置場情報と紐づけて前記記憶手段に格納する、
１．に記載の情報処理システム。
３．
前記商品に関する情報は、前記商品を収容する商品搬送用容器を示す容器情報を含むことを特徴とする２．に記載の情報処理システム。
４．
前記置場紐付け手段は、
前記個人識別情報と前記置場情報との紐付けを解除する解除入力を受け付け、当該解除入力によって指定される前記個人識別情報と前記置場情報との紐付けを解除する、
１．乃至３．のいずれか１つに記載の情報処理システム。
５．
前記個人識別情報を記録している媒体を発行する発行手段を更に備え、
前記置場紐付け手段は、
前記媒体の発行に応じて、該媒体の個人識別情報に前記置場情報を紐付ける、
１．乃至４．のいずれか１つに記載の情報処理システム。
６．
個人の認証データを前記個人識別情報として取得する認証データ取得手段を更に備え、
前記置場紐付け手段は、
前記認証データの取得に応じて、該認証データに前記置場情報を紐付ける、
１．乃至４．のいずれか１つに記載の情報処理システム。
７．
前記置場紐付け手段は、前記媒体が返却されたことを示す情報の入力を、前記個人識別情報と前記置場情報との紐付けを解除する解除入力として受け付ける、
５．に記載の情報処理システム。
８．
前記置場紐付け手段は、前記個人が購入した商品の引き渡しが完了したことを示す情報の入力を、前記個人識別情報と前記置場情報との紐付けを解除する解除入力として受け付ける、
４．乃至６．のいずれか１つに記載の情報処理システム。
９．
前記店舗端末は、前記商品の商品登録、又は、前記商品の商品登録及び精算処理を行う第１の精算手段を備え、
前記記憶手段は、前記商品が精算済または未精算のいずれであるかを示す精算情報を前記個人識別情報および前記置場情報と紐づけて格納し、
前記代行端末は、前記精算情報に基づいて前記未精算の商品の精算処理を行う第２の精算手段を備える、
１．乃至８．のいずれかに記載の情報処理システム。
１０．
個人を識別する個人識別情報を取得してサーバに送信する取得手段と、
前記個人識別情報に対応する個人が購入する商品の商品置場を示す置場情報を前記サーバから受け取り、当該受け取った置場情報を出力する出力手段と、
を備える代行端末。
１１．
個人を識別する個人識別情報に当該個人が購入する商品の商品置場を示す置場情報を紐付ける置場紐付け手段と、
前記個人識別情報と前記置場情報とを紐づけて格納する記憶手段と、
他の装置から送信された個人識別情報を取得し、当該取得した個人識別情報に紐付けられている置場情報を前記記憶手段から読み出し、前記他の装置に出力する出力手段と、
を備えるサーバ装置。
１２．
店舗端末と代行端末とサーバとを備えた情報処理システムで実行される情報処理方法であって、
前記サーバが、
個人を識別する個人識別情報に当該個人が購入する商品の商品置場を示す置場情報を紐付け、
前記個人識別情報と前記置場情報とを紐づけて所定の記憶部に格納し、
前記代行端末が、
前記個人識別情報を取得し、当該取得した個人識別情報に紐付けられている置場情報を前記記憶部から読み出して出力する、
ことを含む情報処理方法。
１３．
前記店舗端末が、
個人を識別する個人識別情報を取得し、前記個人識別情報と前記個人が購入する商品に関する情報とを紐づけて前記サーバに送信し、
前記サーバが、
前記商品に関する情報を前記個人識別情報および前記置場情報と紐づけて前記記憶手段に格納する、
ことを含む１２．に記載の情報処理方法。
１４．
前記商品に関する情報は、前記商品を収容する商品搬送用容器を示す容器情報を含むことを特徴とする１３．に記載の情報処理方法。
１５．
前記サーバが、
前記個人識別情報と前記置場情報との紐付けを解除する解除入力を受け付け、当該解除入力によって指定される前記個人識別情報と前記置場情報との紐付けを解除する、
ことを含む１２．乃至１４．のいずれか１つに記載の情報処理方法。
１６．
前記情報処理システムが前記個人識別情報を記録している媒体を発行する媒体発行装置を更に備え、
前記サーバが、
前記媒体の発行に応じて、該媒体の個人識別情報に前記置場情報を紐付ける、
ことを含む１２．乃至１５．のいずれか１つに記載の情報処理方法。
１７．
前記サーバが、
個人の認証データを前記個人識別情報として取得し、
前記認証データの取得に応じて、該認証データに前記置場情報を紐付ける、
ことを含む１２．乃至１５．のいずれか１つに記載の情報処理方法。
１８．
前記サーバが、
前記媒体が返却されたことを示す情報の入力を、前記個人識別情報と前記置場情報との紐付けを解除する解除入力として受け付ける、
ことを含む１６．に記載の情報処理方法。
１９．
前記サーバが、
前記個人が購入した商品の引き渡しが完了したことを示す情報の入力を、前記個人識別情報と前記置場情報との紐付けを解除する解除入力として受け付ける、
ことを含む１５．乃至１７．のいずれか１つに記載の情報処理方法。
２０．
前記店舗端末は、前記商品の商品登録、又は、前記商品の商品登録及び精算処理を行い、
前記サーバが、前記商品が精算済または未精算のいずれであるかを示す精算情報を前記個人識別情報および前記置場情報と紐づけて格納し、
前記代行端末は、前記精算情報に基づいて前記未精算の商品の精算処理を行う、
ことを含む１２．乃至１９．のいずれかに記載の情報処理方法。
２１．
コンピュータを、
個人を識別する個人識別情報を取得してサーバに送信する取得手段、
前記個人識別情報に対応する個人が購入する商品の商品置場を示す置場情報を前記サーバから受け取り、当該受け取った置場情報を出力する出力手段、
として機能させるためのプログラム。
２２．
コンピュータを、
個人を識別する個人識別情報に当該個人が購入する商品の商品置場を示す置場情報を紐付ける置場紐付け手段、
前記個人識別情報と前記置場情報とを紐づけて格納する記憶手段、
他の装置から送信された個人識別情報を取得し、当該取得した個人識別情報に紐付けられている置場情報を前記記憶手段から読み出し、前記他の装置に出力する出力手段、
として機能させるためのプログラム。
【符号の説明】
【０１０９】
１  情報処理システム
１０  サーバ装置
１０１  バス
１０２  プロセッサ
１０３  メモリ
１０４  ストレージ
１０５  入出力インタフェース
１０６  通信インタフェース
１１０  置場紐付け部
１１２  記憶部
１２０  出力部
１３０  取得部
１４０  格納部
２０  店舗端末
２０１  バス
２０２  プロセッサ
２０３  メモリ
２０４  ストレージ
２０５  入出力インタフェース
２０６  通信インタフェース
２１０  取得部
２２０  送信部
２３０  精算部
３０  代行端末
３０１  バス
３０２  プロセッサ
３０３  メモリ
３０４  ストレージ
３０５  入出力インタフェース
３０６  通信インタフェース
３１０  取得部
３２０  出力部
３３０  精算部
４０  媒体発行装置
４０１  バス
４０２  プロセッサ
４０３  メモリ
４０４  ストレージ
４０５  入出力インタフェース
４０５１  媒体出力装置
４０６  通信インタフェース
４１０  発行部
５０  一時保管場所
５２  商品置場
６０  商品倉庫
Ｃ  商品搬送用容器
Ｍ  媒体
【図１】
0006701858.tif 000002
【図２】
0006701858.tif 000003
【図３】
0006701858.tif 000004
【図４】
0006701858.tif 000005
【図５】
0006701858.tif 000006
【図６】
0006701858.tif 000007
【図７】
0006701858.tif 000008
【図８】
0006701858.tif 000009
【図９】
0006701858.tif 000010
【図１０】
0006701858.tif 000011
【図１１】
0006701858.tif 000012
【図１２】
0006701858.tif 000013
【図１３】
0006701858.tif 000014
【図１４】
0006701858.tif 000015
【図１５】
0006701858.tif 000016
【図１６】
0006701858.tif 000017
【図１７】
0006701858.tif 000018
【図１８】
0006701858.tif 000019
【図１９】
0006701858.tif 000020
【図２０】
0006701858.tif 000021
【図２１】
0006701858.tif 000022
【図２２】
0006701858.tif 000023